(57)【要約】  本発明は、携帯通信装置のアンテナ構造体並びにそのようなアンテナ構造体を備える携帯通信装置に関する。アンテナ構造体（１８）は、第１の側面（２２）及び第２の側面（２４）に接合された底面（２０）を有するモノポールアンテナ素子を含む。少なくとも底面（２０）と第１の側面（２２）と第２の側面（２４）とにより規定されたアンテナ素子領域を形成するために、該底面（２０）は、９０°未満の角度を成して各側面（２２、２４）に接合されている。アンテナ素子領域には、長手方向軸（２６）まわりに半周分湾曲した円錐形状の中央部（３６）が含まれており、これにより、前記底面の少なくとも一部に、前記長手方向軸（２６）まわりに半周分の湾曲が形成されることとなる。この構造体は小型で、且つ優れたブロードバンド性能を示す。
2010519823.tif 000002
【特許請求の範囲】
【請求項１】
携帯通信装置（１０）のアンテナ構造体（１８）であって、
第１の端部において第１の側面（２２）の第１の端部に接合され且つ反対側の第２の端部において第２の側面（２４）の第１の端部に接合された底面（２０）であって、少なくとも前記底面（２０）と前記第１の側面（２２）と前記第２の側面（２４）とにより規定されたアンテナ素子領域（３６、３８、４０）を形成するために、９０度未満の角度を成して各側面（２２、２４）と接合された前記底面（２０）を有し、
前記アンテナ素子領域（３６、３８、４０）には、長手方向軸（２６）まわりに半周分湾曲した円錐形状の中央部（３６）が含まれており、これにより、前記底面（２０）の少なくとも一部に、前記長手方向軸（２６）まわりに半周分の湾曲が形成されたモノポールアンテナ素子を備えることを特徴とするアンテナ構造体（１８）。
【請求項２】
前記側面（２２、２４）は前記長手方向軸と平行であることを特徴とする請求項１に記載のアンテナ構造体（１８）。
【請求項３】
前記第１の側面（２２）は第２の端部を有し且つ前記第２の側面（２４）は第２の端部を有することを特徴とする請求項１又は２に記載のアンテナ構造体（１８）。
【請求項４】
前記アンテナ素子領域（３６、３８、４０）を規定するために、前記第１の側面（２２）の前記第２の端部は、前記第２の側面（２４）の前記第２の端部と接合されていることを特徴とする請求項３に記載のアンテナ構造体（１８）。
【請求項５】
前記アンテナ素子領域を規定するために、第１の端部において前記第１の側面の前記第２の端部に接合され且つ第２の端部において前記第２の側面の前記第２の端部に接合された上面を更に備えることを特徴とする請求項３に記載のアンテナ構造体（１８）。
【請求項６】
前記底面（２０）に隣接した位置において一方の側面（２４）と接合され且つ前記側面（２４）から延伸する給電部（２８）を更に備えることを特徴とする請求項３乃至５のいずれか１項に記載のアンテナ構造体（１８）。
【請求項７】
前記一方の側面（２４）と接合され且つ前記側面（２４）から延伸する少なくとも１つの同調部（３２、３４）を更に備えることを特徴とする請求項６に記載のアンテナ構造体（１８）。
【請求項８】
前記同調部（３２，３４）は、前記給電部（２８）と前記側面（２４）の前記第２の端部との間に配置されていることを特徴とする請求項７に記載のアンテナ構造体（１８）。
【請求項９】
前記給電部（２８）に接続された整合ユニット（４８）を更に備えることを特徴とする請求項６乃至８のいずれか１項に記載のアンテナ構造体（１８）。
【請求項１０】
前記アンテナ素子領域（３６、３８、４０）は、前記中央部（３６）の両側に配置された第１の平坦部（３８）及び第２の平坦部（４０）を備えることを特徴とする請求項１乃至９のいずれか１項に記載のアンテナ構造体（１８）。
【請求項１１】
接地平面（５２）と、
無線回路（５０）と、
第１の端部において第１の側面（２２）の第１の端部に接合され且つ反対側の第２の端部において第２の側面（２４）の第１の端部に接合された底面（２０）を有し、少なくとも前記底面（２０）と前記第１の側面（２２）と前記第２の側面（２４）とにより規定されたアンテナ素子領域（３６、３８、４０）を形成するために、前記底面（２０）が９０度未満の角度を成して各側面（２２、２４）に接合されており、前記アンテナ素子領域（３６、３８、４０）には、長手方向軸（２６）まわりに半周分湾曲した円錐形状の中央部が含まれており、これにより、前記底面（２０）の少なくとも一部に、前記長手方向軸（２６）まわりに半周分の湾曲が形成されたモノポールアンテナ素子と
を備えることを特徴とする携帯通信装置（１０）。
【請求項１２】
前記モノポールアンテナ素子は前記接地平面（５２）に対して側方に配置されていることを特徴とする請求項１１に記載の携帯通信装置（１０）。
【請求項１３】
前記側面（２２、２４）は前記長手方向軸（２６）と平行であることを特徴とする請求項１１又は１２記載の携帯通信装置（１０）。
【請求項１４】
前記第１の側面（２２）は第２の端部を有し且つ前記第２の側面（２４）は第２の端部を有することを特徴とする請求項１１乃至１３のいずれか１項に記載の携帯通信装置（１０）。
【請求項１５】
前記アンテナ素子領域（３６、３８、４０）を規定するために、前記第１の側面（２２）の前記第２の端部は、前記第２の側面（２４）の前記第２の端部と接合されていることを特徴とする請求項１４に記載の携帯通信装置（１０）。
【請求項１６】
前記アンテナ素子領域を規定するために、第１の端部において前記第１の側面の前記第２の端部に接合され且つ第２の端部において前記第２の側面の前記第２の端部に接合された上面を更に備えることを特徴とする請求項１４に記載の携帯通信装置（１０）。
【請求項１７】
前記底面（２０）に隣接した位置において、一方の側面（２４）と接合され且つ前記側面（２４）から延伸する給電部（２８）を更に備えることを特徴とする請求項１４乃至１６のいずれか１項に記載の携帯通信装置（１０）。
【請求項１８】
前記一方の側面（２４）と接合され且つ前記側面（２４）から前記接地平面（５２）に向かって延伸する少なくとも１つの同調部（３２、３４）を更に備えることを特徴とする請求項１７に記載の携帯通信装置（１０）。
【請求項１９】
前記同調部（３２、３４）は、前記給電部（２８）と前記側面（２４）の前記第２の端部との間に配置されていることを特徴とする請求項１８に記載の携帯通信装置（１０）。
【請求項２０】
前記給電部（２８）と前記無線回路（５０）との間に接続された整合ユニット（４８）を更に備えることを特徴とする請求項１７乃至１９のいずれか１項に記載の携帯通信装置（１０）。
【請求項２１】
前記アンテナ素子領域（３６、３８、４０）は、前記中央部（３６）の両側に配置された第１の平坦部（３８）及び第２の平坦部（４０）を備えることを特徴とする請求項１１乃至２０のいずれか１項に記載の携帯通信装置（１０）。
【請求項２２】
前記携帯通信装置（１０）は携帯電話であることを特徴とする請求項１１に記載の携帯通信装置（１０）。
【発明の詳細な説明】
【技術分野】
【０００１】
本発明は、アンテナの分野に関し、特に携帯通信装置のアンテナ構造体並びにそのようなアンテナ構造体を有する携帯通信装置に関する。
【背景技術】
【０００２】
携帯電話などの携帯通信装置の小型化が進んでいる。
【０００３】
携帯通信装置のアンテナを装置の筐体の内部に配置することは、多くの理由からも望ましい。このため、アンテナ自体も小型でなければならない。
【０００４】
一方で、携帯通信装置が使用する種々の周波数帯域もますます広くなっている。すなわち、小型のアンテナで更に広い周波数帯域に対応しなければならない。
【０００５】
例えば携帯電話の場合、現在、最も低いＧＳＭ周波数から最も高いＵＭＩＴＳ周波数までの周波数範囲をカバーする装置が求められている。従って、８２４〜２，１７０ＭＨｚの周波数に対応できることが望ましい。この性能は、全帯域にわたり十分な効率を維持しながら実現されている必要がある。
【０００６】
小型の携帯通信装置においてこの課題を解決するのは容易ではない。
【０００７】
従って、広い周波数帯域にわたり優れた効率を示す小型アンテナが求められる。
【発明の概要】
【発明が解決しようとする課題】
【０００８】
本発明の目的は、一般に、小型で、携帯通信装置の内部に配置でき、しかも所定の周波数範囲に対して優れたアンテナ特性を示すアンテナ構造体に関する。
【０００９】
従って、本発明の１つの目的は、小型で、携帯通信装置の内部に配置でき、しかも所定の周波数に対して優れたアンテナ特性を示す携帯通信装置のアンテナ構造体を提供することである。
【課題を解決するための手段】
【００１０】
本発明の第１の面によれば、上記目的は、
第１の端部において第１の側面の第１の端部に接合され且つ反対側の第２の端部において第２の側面の第１の端部に接合された底面を有し、少なくとも該底面と前記第１の側面と前記第２の側面とにより規定されたアンテナ素子領域を形成するために、前記底面が９０°未満の角度を成して該各側面に接合されており、
前記アンテナ素子領域には、長手方向軸まわりに半周分湾曲した円錐形状の中央部が含まれており、これにより、前記底面の少なくとも一部に、前記長手方向軸まわりに半周分の湾曲が形成されたモノポールアンテナ素子を備える携帯通信装置のアンテナ構造体により達成される。
【００１１】
本発明の第２の面は、第１の面の特徴を含み、前記側面が長手方向軸と平行であるアンテナ構造体に関する。
【００１２】
本発明の第３の面は、第１の面の特徴を含み、前記第１の側面が第２の端部を有し且つ前記第２の側面が第２の端部を有するアンテナ構造体に関する。
【００１３】
本発明の第４の面は、第３の面の特徴を含み、前記アンテナ素子領域を規定するために前記第１の側面の前記第２の端部が、前記第２の側面の第２の端部と接合されているアンテナ構造体に関する。
【００１４】
本発明の第５の面は、第３の面の特徴を含み、前記アンテナ素子領域を規定するために、第１の端部において前記第１の側面の前記第２の端部に接合され且つ第２の端部において前記第２の側面の前記第２の端部に接合された上面を更に備えるアンテナ構造体に関する。
【００１５】
本発明の第６の面は、第３の面の特徴を含み、前記底面に隣接した位置において一方の前記側面と接合され且つその側面から延伸する給電部を更に備えるアンテナ構造体に関する。
【００１６】
本発明の第７の面は、第６の面の特徴を含み、前記一方の側面と接合され且つその側面から延伸する少なくとも１つの同調部を更に備えるアンテナ構造体に関する。
【００１７】
本発明の第８の面は、第７の面の特徴を含み、前記同調部が前記給電部と前記側面の前記第２の端部との間に配置されるアンテナ構造体に関する。
【００１８】
本発明の第９の面は、第６の面の特徴を含み、前記給電部に接続された整合ユニットを更に備えるアンテナ構造体に関する。
【００１９】
本発明の第１０の面は、第１の面の特徴を含み、前記アンテナ素子領域が前記中央部の両側に配置された第１の平坦部及び第２の平坦部を備えるアンテナ構造体に関する。
【００２０】
本発明の別の目的は、小型で、携帯通信装置の内部に配置でき、しかも所定の周波数範囲に対して優れたアンテナ特性を示すアンテナ構造体を有する携帯通信装置を提供することである。
【００２１】
本発明の第１１の面によれば、上記の目的は、
接地平面と、
無線回路と、
第１の端部において第１の側面の第１の端部に接合され且つ反対側の第２の端部において第２の側面の第１の端部に接合された底面を有し、少なくとも該底面と第１の側面と第２の側面とにより規定されたアンテナ素子領域を形成するために、該底面が９０°未満の角度を成して該各側面に接合されており、
前記アンテナ素子領域には、長手方向軸まわりに半周分湾曲した円錐形状の中央部が含まれており、これにより、前記底面の少なくとも一部に、前記長手方向軸まわりに半周分の湾曲が形成されたモノポールアンテナ素子と
を備える携帯通信装置により達成される。
【００２２】
本発明の第１２の面は、第１１の面の特徴を含み、前記モノポールアンテナ素子が前記接地平面に対して側方に配置されている携帯通信装置に関する。
【００２３】
本発明の第１３の面は、第１１の面の特徴を含み、前記側面が長手方向軸と平行である携帯通信装置に関する。
【００２４】
本発明の第１４の面は、第１１の面の特徴を含み、前記第１の側面が第２の端部を有し且つ前記第２の側面が第２の端部を有する携帯通信装置に関する。
【００２５】
本発明の第１５の面は、第１４の面の特徴を含み、前記アンテナ素子領域を規定するために、前記第１の側面の前記第２の端部が前記第２の側面の前記第２の端部と接合されている携帯通信装置に関する。
【００２６】
本発明の第１６の面は、第１４の面の特徴を含み、前記アンテナ素子領域を規定するために第１の端部において前記第１の側面の前記第２の端部に接合され且つ第２の端部において前記第２の側面の前記第２の端部に接合された上面を更に備える携帯通信装置に関する。
【００２７】
本発明の第１７の面は、第１４の面の特徴を含み、前記底面に隣接した位置において一方の前記側面と接合され且つその側面から延伸する給電部を更に備える携帯通信装置に関する。
【００２８】
本発明の第１８の面は、第１７の面の特徴を含み、前記一方の側面と接合され且つその側面から前記接地平面に向かって延伸する少なくとも１つの同調部を更に備える携帯通信装置に関する。
【００２９】
本発明の第１９の面は、第１８の面の特徴を含み、前記同調部が前記給電部と前記側面の前記第２の端部との間に配置されている携帯通信装置に関する。
【００３０】
本発明の第２０の面は、第１７の面の特徴を含み、前記給電部と前記無線回路との間に接続された整合ユニットを更に備える携帯通信装置に関する。
【００３１】
本発明の第２１の面は、第１１の面の特徴を含み、前記アンテナ素子領域が前記中央部の両側に配置された第１の平坦部及び第２の平坦部を備える携帯通信装置に関する。
【００３２】
本発明の第２２の面は、第１１の面の特徴を含み、携帯電話である携帯通信装置に関する。
【００３３】
本発明はいくつかの利点を有する。本発明は、携帯通信装置の内部に配置でき、しかも広い周波数範囲にわたり優れたアンテナ特性を示す小型アンテナ構造体を提供する。本発明のアンテナ構造体は製造誤差及び製造許容差の影響を受けにくい。また、携帯通信装置の内部に配置する際のばらつきの影響も受けにくい。更に、本発明のアンテナ構造体は単純であり、低価格で製造できる。また、装置内部において占める空間はわずかである。
【００３４】
本明細書において使用される場合の用語「備える」は、そこで挙げられている特徴、数字、ステップ又は構成要素の存在を特定するものとして解釈されるが、１つ以上の他の特徴、数字、ステップ、構成要素又はそれらの集合の存在又は追加を除外するものでないことはいうまでもない。
【図面の簡単な説明】
【００３５】
以下、添付の図面を参照して本発明の詳細を説明する。
【図１】図１は、携帯電話の形態をとる携帯通信装置を示す正面図である。
【図２】図２は、本発明の一実施形態に係るアンテナ構造体を示す斜視図である。
【図３】図３は、携帯通信装置の内部に配置され且つ図２のアンテナ構造体並びに無線回路及び整合ユニットを備える回路基板を示す正面図である。
【図４】図４は、図３の回路基板を示す側面図である。
【図５】図５は、本発明のアンテナ構造体と共に使用される整合ユニットを示す回路図である。
【図６】図６は、図２に示されるアンテナ構造体のＶＳＷＲを示すグラフである。
【発明を実施するための形態】
【００３６】
図１は、携帯電話の形態をとる携帯通信装置１０を示す正面図である。携帯電話１０は、キーパッド１６及びディスプレイ１４が設けられた筐体１２を有する。本実施形態のキーパッドは、携帯電話１０を操作するために使用される複数のキーを含む。携帯電話１０の他の種々の機能ユニットは携帯電話１０の内部、すなわち筐体１２の内側に配置される。携帯電話１０は少なくとも１つのアンテナ構造体を更に備えており、本発明によれば、当該アンテナ構造体は携帯電話の内部、すなわち筐体１２の内側に配置される。尚、本発明に係る携帯通信装置は携帯電話に限定されず、ラップトップコンピュータ又はパームトップコンピュータなどの別の携帯通信装置において使用されてもよい。
【００３７】
図２は、本発明の一実施形態に係るアンテナ構造体１８を示す斜視図である。アンテナ構造体１８はモノポールアンテナ素子から構成される。モノポールアンテナ素子は、底面２０を有する主要部３６、３８、４０を含み、底面２０は第１の端部において第１の側面２２の第１の端部に接合されている。底面２０は、第１の端部とは反対側の第２の端部において第２の側面２４の第１の端部に更に接合されており、２つの側面２２及び２４は直線形状を有している。底面２０は、９０°未満の角度を成して各側面に接合されている。第１の側面２２及び第２の側面２４は第２の端部を更に有し、本実施形態において、それらの第２の端部は接合されている。このように、３つの面２０、２２及び２４により、アンテナ素子領域３６、３８、４０が規定される。本実施形態において、アンテナ素子領域は、中央部３６と第１の側面部３８と第２の側面部４０とに分けられ、第１の側面部３８及び第２の側面部４０は中央部３６の両側に配置されている。それら３つの部分３６、３８及び４０は、更に、底面２０から、側面２２及び２４の第２の端部が接合されている箇所まで延出している。本発明によれば、中央部３６は更に長手方向軸２６まわりに半周分湾曲してなる円錐形状をしており、これにより、底面２０の少なくとも一部に、長手方向軸まわりに半周分の湾曲が形成されることとなる。すなわち、中央部３６は、本質的に長手方向軸２６に沿って中央で分割された円錐として形成されている。第１の側面部３８及び第２の側面部４０は平坦であり、従って湾曲部分は含まれず、円錐を分割する平面に対して中央部３６から垂直に延出している。二分割された円錐に似た形状を有する構造体の頂点から底面までの距離は、場合によっては、所定の周波数範囲における最小周波数の波長の８分の１にほぼ等しくてもよい。更に、第１の側面２２及び第２の側面２４は、長手方向軸２６と平行である。更に給電部２８が形成されており、本実施形態において、給電部２８は第２の側面２４と接合されている。給電部２８は、底面２０に隣接した位置において第２の側面２４と接合されている。給電部２８は、底面２０と第２の側面２４とが一致する位置で第２の側面２４と接合されていてもよく、あるいは図２に示されるように、その接点から若干離間して接合されていてもよい。アンテナ構造体１８は第１の同調部３２及び第２の同調部３４を更に含み、それらの同調部も第２の側面２４に接合されている。給電部２８、第１の同調部３２及び第２の同調部３４は、第２の側面部４０と同一平面上にある。アンテナ構造体１８全体は銅から製造されるのが好ましい。
【００３８】
図３は、回路基板４２上に配置されたアンテナ構造体１８を示す正面図であり、図４は、回路基板４２上のアンテナ構造体１８を示す側面図である。本実施形態において、回路基板４２は、回路部４６及びアンテナ部４４の２つの部分に分けられる。アンテナ部４４には接地平面はなく、また、アンテナ構造体に影響を及ぼす可能性がある構成要素又は他の電気回路もアンテナ部４４には含まれていないことが好ましい。回路部４６は、回路基板４２の中央に配置された接地平面５２を含み、複数の電気素子が回路部４６に接続されている。図３及び図４には、それらの電気素子のうち無線回路５０及び整合ユニット４８の２つのみが示されている。しかし、回路基板４２には他のいくつかの素子が実装されうることも理解されるべきである。それらの素子は、実際に本発明には不可欠ではないため省略されている。また、接地平面５２は回路基板４２の中央又は回路基板４２の内部に設けられている必要はなく、回路基板４２の面の上に配置されていてもよいことは理解されるべきである。
【００３９】
アンテナ構造体１８の給電部２８は、給電部２８が接合されている側面２４から延伸し、整合ユニット４８に接続されている。整合ユニット４８は無線回路５０に接続されている。図３及び図４からわかるように、アンテナ構造体１８の同調部３２及び３４は、同調部が接合されている側面２４から、回路基板４２の回路部４６に向かう方向、すなわち接地平面５２に向かう方向に延伸している。従って、アンテナ構造体１８は、接地平面５２が配置されている平面において接地平面から離間して配置されていることがわかる。アンテナ構造体１８は、接地平面５２の脇に、すなわち接地平面５２に対して側方に配置されている。
【００４０】
図５は、本発明に係るアンテナ構造体と共に使用するのに適した整合ユニット４８を示している。整合ユニットは第１のコンデンサＣ１を有し、第１のコンデンサＣ１は、第１の端部において接地点に接続され且つ第２の端部において第１の誘導子Ｌ１の第１の端部に接続されている。第１のコンデンサＣ１と第１の誘導子Ｌ１との接続点は、無線信号の供給及び受信のために無線回路に更に接続されている。第１の誘導子Ｌ１の第２の端部は第２のコンデンサＣ２の第１の端部に接続され、第２のコンデンサＣ２の第２の端部は第２の誘導子Ｌ２の第１の端部に接続されている。第２の誘導子Ｌ２の第２の端部は接地点に接続されている。第２のコンデンサＣ２と第２の誘導子Ｌ２との接続点は、アンテナ構造体の給電部に更に接続されている。整合ユニット４８を構成する素子の値は、アンテナ構造体を所定の周波数範囲に整合させることによって実現されるアンテナ構造体の性能を、整合ユニット４８が補助するように選択される。
【００４１】
今日、携帯通信装置では、非常に広い周波数帯域で使用することが要求されることが多い。携帯電話の場合、例えば種々のＧＳＭ周波数帯域、ＰＣＳ周波数帯域、更にはＵＴＭＳ周波数帯域にアンテナが対応していなければならない。ここで挙げた周波数帯域の例の場合、アンテナ構造体は８２４ＭＨｚ〜２，１７０ＭＨｚまでの範囲の周波数をカバーしていなければならないということになる。更に、十分な効率を維持しつつ、そのように広い周波数範囲に対応していなければならない。
【００４２】
図６からわかるように、本発明に係るアンテナ構造体は上記の目的を明確に達成する。図６は、本発明に係るアンテナ構造体におけるＶＳＷＲ（電圧定在波比）と周波数との関係を示すグラフである。図６のグラフにおいて、横軸で使用されている目盛は１目盛２００ＭＨｚを表し、５００ＭＨｚから開始して２，５００ＭＨｚで終了する。縦軸で使用されている目盛は１〜１１の範囲である。グラフ中にはいくつかの所定の点が更に記入されており、第１の点１は８２４ＭＨｚの周波数を規定し、第２の点２は９６０ＭＨｚの周波数を規定し、第３の点３は１，７１０ＭＨｚの周波数を規定し、第４の点４は２，１７０ＭＨｚの周波数を規定している。第１の点１及び第２の点２は、低いＧＳＭ周波数に対応する第１の範囲を示し、第３の点３及び第４の点４は、高いＧＳＭ周波数、ＰＣＳ周波数及びＵＭＴＳ周波数に対応する第２の範囲を示している。
【００４３】
グラフからわかるように、８２４〜２，１７０ＭＨｚの範囲全体にわたり優れた性能を有している。第１の範囲及び第２の範囲では効率が非常に高く（３未満）、約９６０ＭＨｚ〜約１，１５０ＭＨｚの狭い範囲においてのみ、性能がわずかに３を上回っていることがわかる。従って、所定の周波数範囲を構成する第１の点から第４の点に至る範囲全体で効率は非常に高い。
【００４４】
図２のアンテナ構造体の同調部は、このグラフに若干の影響を与え、同調部の有無及び側面に沿った同調部の位置は、種々の部分でグラフの傾きに影響する。例えば同調部の有無及び位置は、グラフの第２の点の付近でグラフの傾きに影響を及ぼす。従って、側面に沿った同調部の位置を変更することにより、グラフのそれらの部分の傾きを変化させることが可能である。この方法により、ある特定の周波数に関連する特定の条件に適合するように、アンテナ構造体を精密に同調させることができる。
【００４５】
本発明のアンテナ構造体は、いくつかの更なる利点を有する。本発明のアンテナ構造体は、製造誤差及び製造許容差の影響を受けにくい。また、携帯電話の内部に配置する際のばらつきの影響も受けにくい。アンテナ構造体が携帯電話の内部で占める空間はわずかである。更に、アンテナ構造体は単純であり、低価格で生産可能である。
【００４６】
本発明は多様に変形されてもよい。第１に、アンテナ素子領域は側面部を含む必要はなく、中央部のみが含まれていてもよいことは理解されるべきである。更に、アンテナ構造体は同調部を備えていなくてもよいことは理解されるべきである。アンテナ構造体は１つの同調部のみが含まれていてもよく、あるいは３つ以上の同調部が含まれていてもよい。同調部及び給電部は、任意の側面に接続されていてもよい。更に、同調部及び給電部は同一の側面に接続されていなくてもよい。また、アンテナ構造体は頂点を有する分割された円錐のような構造体として形成されている必要はなく、頂点を有さない分割された円錐台のような構造体として形成されていてもよい。円錐台の構造体の場合、アンテナ構造体は上面を備え、上面は第１の端部で第１の側面の第２の端部に接合され且つ第２の端部において第２の側面の第２の端部に接合される。この場合、アンテナ素子領域は底面と上面と第１の側面と第２の側面とにより規定されることとなる。
【００４７】
整合ユニットは異なる構成で提供されていてもよい。例えば、一方又は双方の誘導子が省略可能である。言うまでもなく、本発明は先に挙げた周波数範囲に限定されず、任意の適切な周波数範囲に適用されてもよい。従って、本発明は添付の請求の範囲によってのみ限定される。
【図１】
2010519823.tif 000003
【図２】
2010519823.tif 000004
【図３】
2010519823.tif 000005
【図４】
2010519823.tif 000006
【図５】
2010519823.tif 000007
【図６】
2010519823.tif 000008
【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
携帯通信装置（１０）のアンテナ構造体（１８）であって、
３つの部位からなる放射面（３６、３８、４０）を有するモノポールアンテナ素子と、
前記３つの部位からなる放射面（３６、３８、４０）に接続される給電部（２８）と、を備え、
前記３つの部位からなる放射面（３６、３８、４０）は、その中央部に沿ってＵ字形状に湾曲していることを特徴とするアンテナ構造体。
【請求項２】
更に、前記３つの部位からなる放射面（３６、３８、４０）に接続される少なくとも１つの同調部（３２、３４）を備えることを特徴とする請求項１に記載のアンテナ構造体。
【請求項３】
前記給電部（２８）に接続される整合ユニット（４８）を備えることを特徴とする請求項１または２に記載のアンテナ構造体。
【請求項４】
前記整合ユニット（４８）は、前記アンテナ構造体（１８）が所定の周波数範囲に整合するように構成されていることを特徴とする請求項３に記載のアンテナ構造体（１８）。
【請求項５】
接地平面（５２）と、
無線回路（５０）と、
請求項１乃至４のいずれか１項に記載のアンテナ構造体と
を備えることを特徴とする携帯通信装置（１０）。
【請求項６】
前記アンテナ構造体（１８）の給電部（２８）と前記無線回路（５０）との間に接続された整合ユニット（４８）を更に備えることを特徴とする請求項５に記載の携帯通信装置（１０）。
【請求項７】
前記携帯通信装置（１０）は携帯電話であることを特徴とする請求項５または６に記載の携帯通信装置（１０）。
【国際調査報告】
2010519823.tif 000009
2010519823.tif 000010
2010519823.tif 000011